(57)【要約】【課題】種類の異なる識別装置間でアイリスコードを共用する。【解決手段】光学制御部２３の制御により被写体の撮影を行う光学ユニット２０と、撮影した被写体の画像データに基づいて、当該被写体の識別を行う識別ユニット３０とを備える識別装置１０において、前記光学ユニット２０の特性を示す光学ユニット情報に基づいて、前記画像データに含まれる前記光学ユニットの機器特性を排除した共通化画像データを生成する共通化画像データ生成部３２を備える。【選択図】        図１
2005004524.tif 000002
【特許請求の範囲】
【請求項１】
光学制御部の制御により被写体の撮影を行う光学ユニットと、撮影した被写体の画像データに基づいて、当該被写体の生体情報を生成する識別ユニットとを備える識別装置において、
前記光学ユニットの特性を示す光学ユニット情報に基づいて、前記画像データに含まれる前記光学ユニットの機器特性を排除した共通化画像データを前記生体情報として生成する共通化画像データ生成部を備えることを特徴とする識別装置。
【請求項２】
前記光学制御部は、前記識別ユニット内に設けられており、当該光学制御部は、種類が互いに異なる光学機器の制御を行うことを特徴とする請求項１記載の識別装置。
【請求項３】
前記光学制御部は、前記識別ユニット内に設けられていることを特徴とする請求項１記載の識別装置。
【請求項４】
前記光学制御部は、前記画像データの質を判定し、質が所定の基準以下のとき、再度前記画像データを再取得する制御を行うことを特徴とする請求項３記載の識別装置。
【請求項５】
前記共通化画像データ生成部は、前記光学制御部内に設けられていることを特徴とする請求項３記載の識別装置。
【請求項６】
前記共通化画像データ生成部は、前記共通化画像データを圧縮するためのデータ圧縮部を備えることを特徴とする請求項５記載の識別装置。
【請求項７】
光学制御部の制御により被写体の撮影を行う光学ユニットと、撮影した被写体の画像データに基づいて、当該被写体の生体情報を生成する識別ユニットとを備える個人認証装置において、
前記光学ユニットの特性を示す光学ユニット情報に基づいて、前記画像データに含まれる前記光学ユニットの機器特性を排除した共通化画像データを前記生体情報として生成する共通化画像データ生成部と、該共通化画像データ生成部で生成した生体情報を保持する記憶部とを備えることを特徴とする個人認証装置。
【請求項８】
光学制御部の制御により被写体の撮影を行う光学ユニットと、撮影した被写体の画像データに基づいて、当該被写体の生体情報を生成する識別ユニットとを備える個人認証装置において、
前記光学ユニットの特性を示す光学ユニット情報に基づいて、前記画像データに含まれる前記光学ユニットの機器特性を排除した共通化画像データを前記生体情報として生成する共通化画像データ生成部と、
該共通化画像データ生成部で生成した生体情報を個人認証を行うために保持する記憶部と、
該記憶部で保持している前記生体情報と、前記共通化画像データ生成部で生成する認証すべき被写体の生体情報とを照合する識別処理部とを備えることを特徴とする個人認証装置。
【発明の詳細な説明】
【０００１】
【発明の属する技術分野】
本発明は、生体情報に基づいて、各個人を識別する装置に関する。
【０００２】
【従来の技術】
指紋や、アイリスと称される虹彩などの生体情報に基づいて、各個人を識別する装置は、カメラおよび照明などで構成されている光学ユニットを備えている。例えば生体情報としてアイリスを示す画像データに基づいて、各個人を認証する装置（以降、単に識別装置と称す）は、前記光学ユニットで識別対象者の目を撮影して、その画像データを取得する。
前記識別装置は、取得した画像データから、眼球の瞳孔を囲む輪状のアイリスの位置を検出して、アイリスを示す画像データを抽出する。このとき、抽出するアイリス画像データから、撮影時の照明により瞳孔およびアイリス下の水晶体で反射した高輝度の反射画像が取り除かれる。
【０００３】
前記識別装置は、取得したアイリス画像データに基づいてアイリスの特徴をコード化したアイリスコードを識別ユニットで生成する。生成したアイリスコードには、適宜、該アイリスコードを識別可能な例えば識別番号、氏名、生年月日および所属などの情報が付加され、蓄積される。
そして、前記識別装置は、蓄積しているアイリスコードと、前記した手順で取得する識別対象者のアイリスコードとの類似度演算を行い、算出した類似度と所定の閾値との比較判定を行い、該判定結果に基づいて識別対象者を識別する。
【０００４】
【発明が解決しようとする課題】
ところが、前記した従来の識別装置は、アイリスコードを生成するための前記画像データを、識別装置の種類毎に独自の規格で作成している。つまり、ある識別装置は、両眼を撮影して得た画像データに基づいて、アイリスコードを生成し、他の種類の識別装置は、片眼を撮影して得た画像データに基づいて、アイリスコードを生成する。
また、ある識別装置は、一個の照明で被写体を撮影するが、他の種類の識別装置は複数の照明を用いて被写体を撮影する。つまり、照明の数に応じて、取得した画像データから高輝度の反射画像を取り除く個数が異なることから、光学ユニットに設けた照明の数に応じて様々な形式のアイリス画像データが生成され、該アイリス画像データに基づいて規格の異なるアイリスコードが生成される。その他に、カメラの解像度の違いや、モノクロ撮影またはカラー撮影などの違いもあり、いわゆる光学ユニットの機器特性の違いにより、取得する画像データが異なり、この違いがアイリスコードにも反映されてしまう。
【０００５】
従って、ある識別装置で蓄積するアイリスコードと、他の種類の識別装置で蓄積するアイリスコードとは、同じ識別対象者であるにもかかわらず、光学ユニットの機器特性の違いにより、違うアイリスコードが生成されてしまい、識別装置の種類に応じて、識別対象者のアイリスコードを蓄積し直す必要があり、これが問題となっていた。
従って、本発明の目的は、種類の異なる識別装置間でアイリスコードを共用し得る識別装置を提供することにある。
【０００６】
【課題を解決するための手段】
本発明は、以上の点を解決するために、次の構成を採用する。
光学制御部の制御により被写体の撮影を行う光学ユニットと、撮影した被写体の画像データに基づいて、当該被写体の生体情報を生成する識別ユニットとを備える識別装置において、前記光学ユニットの特性を示す光学ユニット情報に基づいて、前記画像データに含まれる前記光学ユニットの機器特性を排除した共通化画像データを前記生体情報として生成する共通化画像データ生成部を備える。
【０００７】
前記光学制御部は、前記識別ユニット内に設けられており、当該光学制御部は、種類が互いに異なる光学機器の制御を行う。
前記光学制御部は、前記識別ユニット内に設けられていることを特徴とする。前記光学制御部は、前記画像データの質を判定し、質が所定の基準以下のとき、再度前記画像データを再取得する制御を行う。
前記共通化画像データ生成部は、前記光学制御部内に設けられている。
前記共通化画像データ生成部は、前記共通化画像データを圧縮するためのデータ圧縮部を備える。
【０００８】
光学制御部の制御により被写体の撮影を行う光学ユニットと、撮影した被写体の画像データに基づいて、当該被写体の生体情報を生成する識別ユニットとを備える個人認証装置において、前記光学ユニットの特性を示す光学ユニット情報に基づいて、前記画像データに含まれる前記光学ユニットの機器特性を排除した共通化画像データを前記生体情報として生成する共通化画像データ生成部と、該共通化画像データ生成部で生成した生体情報を保持する記憶部とを備えることを特徴とする。
【０００９】
光学制御部の制御により被写体の撮影を行う光学ユニットと、撮影した被写体の画像データに基づいて、当該被写体の生体情報を生成する識別ユニットとを備える個人認証装置において、前記光学ユニットの特性を示す光学ユニット情報に基づいて、前記画像データに含まれる前記光学ユニットの機器特性を排除した共通化画像データを前記生体情報として生成する共通化画像データ生成部と、該共通化画像データ生成部で生成した生体情報を個人認証を行うために保持する記憶部と、該記憶部で保持している前記生体情報と、前記共通化画像データ生成部で生成する認証すべき被写体の生体情報とを照合する識別処理部とを備えることを特徴とする。
【００１０】
【発明の実施の形態】
以下、本発明の識別装置を説明する。
本発明の識別装置は、指紋やアイリスと称される虹彩などの生体情報に基づいて、識別対象者の認証を行う装置であるが、特にアイリスに基づいて識別を行う識別装置１０を、図を参照して詳細に説明する。
〈具体例１〉
本発明の識別装置１０は、図１に示すように、光学ユニット２０と識別ユニット３０とで構成されており、光学ユニット２０は、カメラ２１、照明２２および光学制御部２３を備えている。
一方、識別ユニット３０は、光学ユニット２０で撮影した被写体の画像データを取得すべく、画像キャプチャ部１１、画像判定部１２およびアイリス検出部１３から成る画像データ取得部３１と、該画像データ取得部３１で取得する画像データから、光学ユニット２０の機器特性を排除した共通化画像データを生成する共通化画像データ生成部３２と、該共通化画像データ生成部３２で生成した共通化画像データに基づくアイリスコードを生成する識別処理部３３と、該識別処理部３３で生成したアイリスコードを保持する記憶部としてのアイリスコード蓄積部３４と、前記各部の統括的な制御を行う主制御部３５とを備えている。
【００１１】
カメラ２１は、光学制御部２３からの制御を受けて、識別対象者である被写体の顔をモノクロ画像またはカラー画像でデジタル撮影し、その撮影画像を例えばＲＧＢ信号などのイメージ信号で画像データ取得部３１の画像キャプチャ部１１へ出力する。カメラ２１で撮影が行われるとき、光学制御部２３の制御を受けた照明２２により、被写体が閃光で照らされる。照明の数は、一つでも複数でもよく、その照明の数や照明の配置位置が光学ユニット情報として、後述する共通化画像データ生成部３２で参照される。前記光学ユニット情報は、照明に関する情報以外に、例えば、カメラ２１の画素数や、撮影サイズ、モノクロ画像かカラー画像かなどの情報で構成されており、いわゆる光学ユニット２０の機器特性を示す情報である。
【００１２】
次に、光学ユニット２０からのイメージ信号に基づく識別ユニット３０の各部の動作を、図２に示す模式図に沿って説明する。
被写体のイメージ信号を受信した画像キャプチャ部１１は、受信した信号から被写体の画像データを生成する。
ここで、イメージ信号から生成される画像データの例を図３を用いて説明する。
照明が一つで片眼を撮影した光学ユニット２０からのイメージ信号に基づいて生成した画像データが図３（ａ）に示されており、２つの照明で両眼を撮影した光学ユニットからのイメージ信号に基づいて生成した画像データが図３（ｂ）に示されている。これらの図は、被写体が同じであるにもかかわらず、光学ユニットの種類が異なると、画像キャプチャ部１１で生成される画像データの内容が異なることを示しており、これらの画像データに基づいてコード化しても、コード化された内容は互いに異なる。
本発明の識別装置は、後述する共通化画像データ生成部３２により、前記光学ユニットの機器特性を排除した共通化画像データを生成する。従って、この共通化画像データに基づいてコード化を行うことにより、光学ユニットの機器特性を排除したコードを生成することができ、複数種類の識別装置でも生成したコードを共有することができる。
【００１３】
画像キャプチャ部１１で生成した画像データは、画像判定部１２で、例えば焦点が合っているか、露光が適切か、画像コントラストが適切か否か判定される。この判定で、所定の基準以下の画像データは破棄され、再撮影を行う指示制御が光学制御部２３に対し行われる。
【００１４】
画像判定部１２で所定の基準以上と判定された画像データに基づいて、従来から知られた方法により、アイリス検出部１３でアイリスの検出を行い、検出したアイリスの画像データを生成して共通化画像データ生成部３２へ出力する。
アイリス検出部１３は、図４に示すように、瞳孔の中心位置やアイリスの外縁境界などの位置を検出位置情報として求め、更に照明による高輝度の反射画像の位置をノイズ検出位置情報として求める。アイリス検出部１３は、検出位置情報に基づいて、前記画像データから、アイリスが示されている図４の破線で囲まれている範囲の画像を切り出し、切り出した画像をアイリス画像データとしてノイズ検出位置情報と共に、共通化画像データ生成部３２へ出力する。
【００１５】
アイリス画像データおよびノイズ検出位置情報を受けた共通化画像データ生成部３２は、前記光学ユニット情報およびノイズ検出位置情報に基づいて、光学ユニットの機器特性を排除した共通化画像データを生成する。
前記光学ユニット情報は、例えば、図５の表に示されているように、上から順に８階調のモノクロ撮影であること、横が６４０画素であり縦が４８０画素の撮影サイズであること、照明が２個であること、その配置位置に対応付けられた番号が１であること、撮影距離が所定単位の３０から５０の間であることなどが示されており、つまり光学ユニット２０の機器特性が示されている。
【００１６】
ここで、共通化画像データ生成部３２の動作を図６の模式図を用いて詳細に説明する。共通化画像データ生成部３２は、アイリス検出部１３からのアイリス画像データおよびノイズ検出位置情報と、光学ユニット２０からの前記した光学ユニット情報とを取得する。共通化画像データ生成部３２は、前記光学ユニット情報を光学ユニット２０から取得する以外に、例えば識別装置１０に設けられる光学ユニットの種類が予め決まっているとき、該光学ユニット情報を予め共通化画像データ生成部３２で保持し、保持する光学ユニット情報を用いて共通化画像データを生成してもよい。
【００１７】
共通化画像データ生成部３２は、光学ユニット情報に対応したアイリス画像データを、ノイズ検出位置情報を加味して共通化フォームに変更する。共通化フォームは、図７に示されているように、上から順に８階調のモノクロ撮影であること、縦横が３００画素の撮影サイズであること、輝度を示す階調が０から２５５までの２５６階調であること、前記アイリス画像データから、所望の範囲の画像データを切り出すために用いるマスクパターンに対応付けられた番号が１０であることを示しており、前記共通化フォームは予め共通化画像データ生成部３２で保持されている。
【００１８】
共通化画像データ生成部３２は、光学ユニット情報に示されている例えば照明の個数と、ノイズ検出位置情報と、マスクパターンに対応付けた番号に示す共通化フォームとに基づいて、アイリス画像データから光学ユニットの機器特性を排除した画像データを共通化画像データとして生成する。
前記した共通化フォームは、光学ユニットとして接続される様々な機能レベルにおいて、最も低い機器レベル、つまり最も撮影解像度が低い光学ユニットや、最も撮影サイズが小さい光学ユニットなどの機器レベルが示されている。従って、最低の機器レベルで共通化されることから、接続される光学ユニット全てのアイリス画像データを共通化画像データへ変換することができる。このようにしてアイリス画像データから変換された共通化画像データが、識別処理部３３のコード化部へ送られる。
【００１９】
識別処理部３３は、図２に示されているように、共通化画像データを所定のコードに変換するコード化部と、該コード化部で取得したアイリスコードの運用を、登録モードで行うか照合モードで行うか選択するためのスイッチ（図２にＳＷと表記）と、コード化部で生成したアイリスコードとアイリスコード蓄積部３４で蓄積しているアイリスコードとの類似度を算出するマッチング部と、該マッチング部で算出した類似度が所定の基準値から外れているか否かを判定し、その判定結果に基づいて、識別対象者の識別判定を行う判定部とを備える。
【００２０】
共通化画像データを取得したコード化部は、従来から知られている方法により、該共通化画像データからアイリスの特徴量を抽出し、抽出した特徴量をコード化して、アイリスコードを生成する。
前記スイッチで登録モードが選択されているとき、必要に応じて生成したアイリスコードに、図示しない入力端末から入力される識別対象者の氏名や所属などを示す情報が付加された後、該アイリスコードがアイリスコード蓄積部３４で蓄積される。
一方、前記スイッチで照合モードが選択されているとき、マッチング部は、生成されたアイリスコードと、前記したアイリスコード蓄積部３４で蓄積しているアイリスコードとの類似度を算出し、その結果を判定部へ出力する。このとき、アイリスコード蓄積部３４で蓄積する多数のアイリスコードから、照合すべき所望のアイリスコードを選択するために、図示しないキーボードやカードリーダーなどの入力端末により、アイリスコード蓄積部３４の所望のアイリスコードが選択される。
類似度の算出結果を取得した判定部は、算出結果が所定の基準値から外れているか否かを判定する。これにより、類似度が所定の基準値内にあるとき本人であると判定され、類似度が所定の基準値外であるとき、他人であると判定される。
【００２１】
本具体例の識別装置によれば、共通化画像データ生成部３２を備えることにより、撮影した画像データから光学ユニット２０の機器特性を示す光学ユニット情報を排除した共通化画像データが生成され、当該光学ユニットの機器特性が含まれない共通化画像データに基づいてアイリスコードを生成することから、種類が異なる光学ユニットを設けた様々な識別装置間で、アイリスコードを共用することができる。従って、種類の異なる識別装置毎に、つまり互いに機器特性が異なる光学ユニットを備えた識別装置毎に、アイリスコードを登録し直す必要がなく、アイリスコードを効率的に運用することができる。
【００２２】
〈具体例２〉
次に、一つの識別ユニットで互いに異なる種類の光学ユニットを操作する識別装置１００を、研究所などの高いセキュリティを必要とする所内に設けたコンピュータへのアクセス管理を例に説明する。
具体例２の識別装置１００は、図８に示されているように、互いに異なる種類の光学ユニットＡ２０および光学ユニットＢ２０′と、これらの光学ユニットからのイメージ信号に基づいてアイリスコードを生成して識別対象者の識別を行う識別ユニット３０とで構成されている。
【００２３】
光学ユニットＡ２０は、カメラＡ２１および照明Ａ２２で構成されており、コンピュータへのアクセス管理のためのユニットであり、机上や、表示装置や、キーボード又はマウスなどの入力端末や、マイクスタンドなどのハンドヘルドと称される機器に実装される。光学ユニットＡ２０のカメラＡ２１は、識別対象者の片眼を撮影範囲とする機能を有する。
一方、光学ユニットＢ２０′は、前記したカメラＡ２１と異なる機器特性を有するカメラＢ２１′および前記した照明Ａ２２と異なる機器特性を有する２つの照明Ｂ２２′で構成されており、前記コンピュータの設置される研究所の出入り口や、該研究所内の研究室の出入り口に実装される。光学ユニットＢ２０′のカメラＢ２１′は、識別対象者の顔を撮影範囲とする機能を有しており、撮影距離はカメラＡ２１より長い。
【００２４】
識別ユニット３０は、図８に示されているように、前記した具体例１と同様に画像データ取得部３１、共通化画像データ生成部３２、識別処理部３３、アイリスコード蓄積部３４および主制御部３５を備えているが、具体例２の主制御部３５は、光学ユニットＡ２０および光学ユニットＢ２０′を制御する光学制御部２３を有することが、前記した具体例１と異なる。
【００２５】
具体例２の光学制御部２３は、主制御部３５からの制御に基づいて、互いに異なる種類の光学ユニットＡの制御と、光学ユニットＢの制御とをそれぞれ行う。光学ユニットＡおよび光学ユニットＢは、光学制御部２３からの制御信号に基づいて被写体を撮影し、そのイメージ信号を識別ユニット３０へ出力する。
光学ユニットＡ２０、若しくは光学ユニットＢ２０′からのイメージ信号を取得した識別ユニット３０は、前記した具体例１と同様に、イメージ信号から画像データを生成し、生成した画像データからアイリス画像データを生成する。アイリス画像データを生成した識別ユニット３０は、該アイリス画像データから光学ユニットの機器特性を排除した共通化画像データを生成した後、該共通化画像データに示されたアイリスの特徴量をコード化したアイリスコードを生成する。生成されたアイリスコードは、前記した具体例１と同様に、識別モードや登録モードで運用される。
【００２６】
前記したように具体例２の識別装置１００によれば、光学ユニットＡ２０および光学ユニットＢ２０′の機器特性が含まれない共通化画像データに基づいて、アイリスコードを生成することから、具体例１と同様に種類が異なる光学ユニットを設けた様々な識別装置間でアイリスコードを共用することができる。
また、互いに種類の異なる光学ユニットを接続可能であることから、柔軟性の高い識別システムを構築することができる。
更に、具体例２の識別装置１００によれば、ある場所への入退管理や、コンピュータのアクセス管理などのシチュエーションに応じた複数種類の光学ユニットを実装し、それらの光学ユニットを識別ユニット３０で集中的に管理することにより、識別対象者の認証管理を統括的に行うことができ、高いセキュリティシステムを構築することができる。
【００２７】
〈具体例３〉
次に、画像データ取得部３１を光学ユニット内の光学制御部２３に設けた識別装置２００を説明する。
具体例３の識別装置２００は、図９に示されているように、カメラ２１、照明２２および光学制御部２３から成る光学ユニット２０と、共通化画像データ生成部３２、識別処理部３３、アイリスコード蓄積部３４および主制御部３５から成る識別ユニット３０とを備える。
光学ユニット２０の光学制御部２３には、前記具体例で説明した画像データ取得部３１が設けられており、該画像データ取得部３１は、画像キャプチャ部１１、画像判定部１２およびアイリス検出部１３を備えている。
【００２８】
本具体例の識別ユニット３０内の各部の動作は、前記具体例で説明していることからその説明を割愛し、画像データ取得部３１を内部に設けた光学ユニット２０の動作を中心に説明する。
被写体の撮影すべく、主制御部３５からの制御信号を受けた光学制御部２３は、カメラ２１および照明２２を制御する。これにより、被写体がデジタル撮影される。デジタル撮影で取得したイメージ信号を受けた画像データ取得部３１の画像キャプチャ部１１は、該イメージ信号に基づいて画像データを生成し、生成した画像データを画像判定部１２へ出力する。
【００２９】
画像判定部１２は、前記画像データに示される例えば焦点や、露光や、画像コントラストなどが適切か否か判定する。この判定で、所定の基準以下の画像データは破棄され、再撮影を行うための制御が行われる。これにより、再撮影を行うための制御信号を、前記した光学ユニット２０および識別ユニット３０間で伝送する必要がなく、光学ユニット２０内の画像判定部１２で、取得した画像データが所定の基準を満たしていないと判断すると、即座に再撮影を行うことができる。
【００３０】
画像判定部１２で、所定の基準以上と判断された画像データは、アイリス検出部１３でアイリスが検出され、アイリス画像データおよびノイズ検出位置情報が生成される。このとき、アイリス検出部１３は、例えば撮影時の識別対象者の瞬きによりアイリスを検出できないと判断すると、再撮影を行うための制御を行う。これにより、再撮影を行うための制御信号を、前記した光学ユニット２０および識別ユニット３０間で伝送する必要がなく、アイリスを検出できないと判断したとき、即座に再撮影を行うことができる。
【００３１】
アイリス検出部１３で生成されたアイリス画像データおよびノイズ検出位置情報が、光学ユニット２０から識別ユニット３０へ送られる。
識別ユニット３０の共通化画像データ生成部３２は、前記具体例で説明したように、アイリス画像データ、ノイズ検出位置情報および光学ユニット情報に基づいて、光学ユニット２０の機器特性を排除して、共通化フォームに則した共通化画像データを生成する。
生成された共通化画像データに示されるアイリスの特徴量をコード化したアイリスコードが識別処理部３３で生成される。
【００３２】
前記したように、具体例３の識別装置２００によれば、光学ユニット２０の機器特性が含まれない共通化画像データに基づいて、アイリスコードを生成することから、具体例１と同様に複数種類の光学ユニットを設けた様々な識別装置間でアイリスコードを共用することができる。
更に、識別装置２００によれば、光学ユニット２０内に画像データ取得部３１を設けることにより、所定の基準以下の画像データや、アイリスを取得できないと判断したとき、光学ユニット２０および識別ユニット３０間で再撮影を行うための制御信号を伝送する必要がないことから、即座に再撮影を行うことができる。
【００３３】
〈具体例４〉
次に、画像データ取得部３１および共通化画像データ生成部３２を光学ユニット２０内に設けた識別装置３００を説明する。
具体例４の識別装置３００は、図１０に示されているように、カメラ２１、照明２２および光学制御部２３から成る光学ユニット２０と、識別処理部３３、アイリスコード蓄積部３４および主制御部３５から成る識別ユニット３０とを備える。
光学ユニット２０の光学制御部２３には、前記具体例で説明した画像データ取得部３１および共通化画像データ生成部３２が設けられている。
【００３４】
本具体例の識別ユニット３０内の各部の動作は、前記具体例で説明していることからその説明を割愛し、画像データ取得部３１および共通化画像データ生成部３２を内部に設けた光学ユニット２０の動作を中心に説明する。
主制御部３５からの制御信号を受けた光学制御部２３は、カメラ２１および照明２２の制御を行い、被写体をデジタル撮影する。このデジタル撮影で取得するイメージ信号を受けた画像データ取得部３１は、具体例３で説明したように、所定の基準を満たさない画像データや、アイリスを検出できない画像データを破棄し、即座に再撮影が行われる。
画像データ取得部３１は、所定の基準を満たす画像データに基づいて、アイリス画像データを生成すると、該アイリス画像データを光学ユニット２０内の共通化画像データ生成部３２へ出力する。
【００３５】
ここで、具体例４の共通化画像データ生成部３２を図１１を用いて詳細に説明する。共通化画像データ生成部３２は、内部にデータ圧縮部３６を備えており、該データ圧縮部３６は、生成した共通化画像データを従来から知られた方法で圧縮し、圧縮共通化画像データを生成する。
具体例４の共通化画像データ生成部３２は、図１１に示されているように、画像データ取得部３１からのアイリス画像データおよびノイズ検出位置情報と、光学ユニット情報とに基づいて、光学ユニット２０の機器特性を排除し、共通化フォームに則した共通化画像データを生成する。生成した共通化画像データは、共通化画像データ生成部３２のデータ圧縮部３６で圧縮される。圧縮された共通化画像データは、圧縮共通化画像データとして共通化画像データ生成部３２から識別処理部３３のコード化部へ出力される。
【００３６】
コード化部は、図示しない圧縮解除部を備えており、該圧縮解除部により圧縮共通化画像データの圧縮が解かれ、共通化画像データを取得する。コード化部は、取得した共通化画像データに示されているアイリスの特徴量をコード化し、アイリスコードを生成する。
【００３７】
前記したように、具体例４の識別装置３００によれば、光学ユニット２０の機器特性が含まれない共通化画像データに基づいて、アイリスコードを生成することから、具体例１と同様に複数種類の光学ユニットを設けた様々な識別装置間でアイリスコードを共用することができる。
また、具体例４の識別装置３００によれば、光学ユニット２０内に画像データ取得部３１を設けることにより、取得する画像データが所定の基準を満たさなかったり、画像データからアイリスを検出できなかったとき、光学ユニット２０および識別ユニット３０間で再撮影を行うための制御信号を伝送することなく、即座に再撮影を行うことができる。
更に、具体例４の識別装置３００によれば、光学ユニット２０内に設けたデータ圧縮部３６により共通化画像データを圧縮した圧縮共通化画像データを生成し、該圧縮共通化画像データを該光学ユニット２０から識別ユニット３０へ伝送することから、データの伝送量を低減することができる。従って、データ伝送量の低減により、識別モード処理や登録モード処理などの識別処理を高速に行うことができる。
【００３８】
【発明の効果】
本発明の識別装置によれば、共通化画像データ生成部で、光学ユニットの機器特性を示す光学ユニット情報に基づいて、被写体を撮影して取得する画像データに含まれる前記光学ユニットの機器特性を排除した共通化画像データを生成することにより、該共通化画像データに基づいて、光学ユニットの機器特性に左右されないアイリスコードを生成することができることから、該アイリスコードを複数種類の識別装置間で共用することができる。
【図面の簡単な説明】
【図１】具体例１の識別装置のブロック図である。
【図２】画像データ取得部および識別処理部の模式図である。
【図３】（ａ）照明１個で片眼を撮影する光学ユニットからのイメージ信号に基づいて、生成される画像データを示す図である。
（ｂ）照明２個で両眼を撮影する光学ユニットからのイメージ信号に基づいて、生成される画像データを示す図である。
【図４】アイリス検出部１３でアイリスの検出を示す図である。
【図５】光学ユニット情報を示す図である。
【図６】共通化画像データ生成部の動作を示す模式図である。
【図７】共通化フォームを示す図である。
【図８】具体例２の識別装置を示すブロック図である。
【図９】具体例３の識別装置を示すブロック図である。
【図１０】具体例４の識別装置を示すブロック図である。
【図１１】具体例４の共通化画像データ生成部の動作を示す模式図である。
【符号の説明】
１０  識別装置
１１  画像キャプチャ部
１２  画像判定部
１３  アイリス検出部
２０  光学ユニット
２１  カメラ
２２  照明
２３  光学制御部
３０  識別ユニット
３１  画像データ取得部
３２  共通化画像データ生成部
３３  識別処理部
３４  アイリスコード蓄積部
３５  主制御部
【図１】
2005004524.tif 000003
【図２】
2005004524.tif 000004
【図３】
2005004524.tif 000005
【図４】
2005004524.tif 000006
【図５】
2005004524.tif 000007
【図６】
2005004524.tif 000008
【図７】
2005004524.tif 000009
【図８】
2005004524.tif 000010
【図９】
2005004524.tif 000011
【図１０】
2005004524.tif 000012
【図１１】
2005004524.tif 000013